(57)【要約】【課題】機器の使用のスケジューリングをユーザが簡易に行うことを可能とする表示装置及び表示方法を提供する。【解決手段】表示部２３０は、時間を表す第１軸及び電力を表す第２軸によって表現される座標空間において、所定期間内における使用電力の目標値の推移を表す目標ラインと、機器の使用電力量を表すオブジェクトとを表示する。オブジェクトは、第１軸と平行に延び、機器の使用開始時点から前記機器の使用終了時点までの時間長を示す下辺と、機器の使用開始時点から機器の使用終了時点までの間における機器の使用電力の推移を表すラインとによって囲まれる領域を有する。制御部２４０は、オブジェクトを座標空間上に並べることにより、機器の使用スケジューリングを行う。【選択図】図３
2014011825.tif 000002
【特許請求の範囲】
【請求項１】
所定期間において機器の使用のスケジューリングを行うための画像を表示する表示装置であって、
時間を表す第１軸及び電力を表す第２軸によって表現される座標空間において、前記所定期間内における使用電力の目標値の推移を表す目標ラインと、前記機器の使用電力量を表すオブジェクトとを表示する表示部と、
前記オブジェクトを前記座標空間上に並べることにより、前記機器の使用スケジューリングを行う制御部とを備え、
前記オブジェクトは、前記第１軸と平行に延び、前記機器の使用開始時点から前記機器の使用終了時点までの時間長を示す下辺と、前記機器の使用開始時点から前記機器の使用終了時点までの間における前記機器の使用電力の推移を表すラインと、によって囲まれる領域を有することを特徴とする、表示装置。
【請求項２】
前記表示部は、前記所定期間において負の傾きを持つように前記目標ラインを表示することを特徴とする、請求項１に記載の表示装置。
【請求項３】
前記オブジェクトは、前記第１軸と平行に延びる上辺を有しており、
前記表示部は、前記オブジェクトとして、第１オブジェクト及び第２オブジェクトを表示し、
前記制御部は、前記第２オブジェクトが、前記第１オブジェクトの上辺に前記第２オブジェクトの下辺が接しており、なおかつ第２オブジェクトが外に突出する状態で前記表示部に表示されている状態において、前記第２オブジェクトの下方において、いずれのオブジェクトも配されていない空白領域が存在する場合には、前記空白領域を埋めるように前記第２オブジェクトを変形して表示することを特徴とする、請求項１又は請求項２に記載の表示装置。
【請求項４】
前記制御部は、前記オブジェクトが座標空間内に移動されるよう指示されると、前記移動指示された位置からを起点とし、下方に移動するよう制御することを特徴とする、請求項１から３のいずれか一項に記載の表示装置。
【請求項５】
前記表示部は、タッチパネルを有する表示器であって、
前記制御部は、前記オブジェクトへの接触指示に基づいて前記オブジェクトの表示位置の移動制御を行うことを特徴とする、請求項１から４のいずれか一項に記載の表示装置。
【請求項６】
前記制御部は、ある所定期間に前記オブジェクトを表示すると前記目標ラインを超えてしまうと判断すると、その所定期間の前又は後の所定期間に、前記オブジェクトを自動的に移動させることを特徴とする、請求項２から５のいずれか一項に記載の表示装置。
【請求項７】
前記制御部は、スケジューリングを行う所定期間と、その前後の所定期間とを表示部に表示することを特徴とする、請求項６に記載の表示装置。
【請求項８】
所定期間において機器の使用のスケジューリングを行うための画像を表示する表示方法であって、
時間を表す第１軸及び電力を表す第２軸によって表現される座標空間において、前記所定期間内における使用電力の目標値の推移を表す目標ラインと、前記機器の使用電力量を表すオブジェクトとを表示するステップと、
前記オブジェクトを前記座標空間上に並べることにより、前記機器の使用スケジューリングを行うステップとを備え、
前記表示ステップにおいて、前記機器の使用開始時点から前記機器の使用終了時点までの時間長を、前記第１軸と平行に延びる下辺で表し、前記機器の使用開始時点から前記機器の使用終了時点までの間における前記機器の使用電力の推移を上側ラインで表し、前記下辺と前記上側ラインとによって囲まれる領域で前記オブジェクトを表示することを特徴とする、表示方法。
【発明の詳細な説明】
【技術分野】
【０００１】
本発明は、表示装置及び表示方法に関する。
【背景技術】
【０００２】
日本においては高圧受電者の総電力料金は、基本料金及び電力量料金によって定められる。基本料金は、過去の所定期間（例えば、３０分）ごとに計測された電力使用量の内の最大値であるおけるピーク電力使用量に基づいて定められる。一方で、電力量料金は、計算対象期間における合計の電力使用量に基づいて定められる。
【０００３】
このような電力料金の定め方においては、電力使用量を全体的に低下させることも大事だが、所定期間における電力使用量が目標値を超過しないように、機器を使用することが望ましい。
【０００４】
そこで、受電者ごとに設けられた電力量計から得たデータに基づいて、所定期間終了時における所定期間内における積算電力使用量を予測し、積算電力使用量の予測値が目標値を超えると判断された場合、一部の機器の動作を停止して使用電力量を抑える制御装置が知られている（例えば、特許文献１）。
【先行技術文献】
【特許文献】
【０００５】
【特許文献１】特開２００７−１２９８３７号公報
【発明の概要】
【発明が解決しようとする課題】
【０００６】
しかしながら、上述した制御装置では、所定期間における積算電力使用量が目標値を超えないようにするために、一部の機器の動作が自動的に停止されてしまう。すなわち、ユーザが想定していない機器の動作の停止が生じてしまう。
【０００７】
そこで、本発明は、上述した課題を解決するためになされたものであり、想定していない機器の動作停止を回避することを、ユーザの簡易な操作により可能とする表示装置及び表示方法を提供することを目的とする。
【課題を解決するための手段】
【０００８】
第１の特徴に係る表示装置は、所定期間において機器の使用のスケジューリングを行うための画像を表示する。表示装置は、時間を表す第１軸及び電力を表す第２軸によって表現される座標空間において、前記所定期間内における使用電力の目標値の推移を表す目標ラインと、前記機器の使用電力量を表すオブジェクトとを表示する表示部と、前記オブジェクトを前記座標空間上に並べることにより、前記機器の使用スケジューリングを行う制御部とを備え、前記オブジェクトは、前記第１軸と平行に延び、前記機器の使用開始時点から前記機器の使用終了時点までの時間長を示す下辺と、前記機器の使用開始時点から前記機器の使用終了時点までの間における前記機器の使用電力の推移を表すラインと、によって囲まれる領域を有する。
【０００９】
第１の特徴において、前記表示部は、前記所定期間において負の傾きを持つように前記目標ラインを表示する。
【００１０】
第１の特徴において、前記オブジェクトは、前記第１軸と平行に延びる上辺を有しており、前記表示部は、前記オブジェクトとして、第１オブジェクト及び第２オブジェクトを表示し、前記制御部は、前記第１オブジェクトの上辺に前記第２オブジェクトの下辺が接しており、なおかつ第２オブジェクト外に突出する状態で前記表示部に表示されている状態において、前記第２オブジェクトの下方において、いずれのオブジェクトも配されていない空白領域が存在する場合には、前記空白領域を埋めるように前記第２オブジェクトを変形して表示する。
【００１１】
第１の特徴において、前記制御部は、前記オブジェクトが座標空間内に移動されるよう指示されると、前記移動指示された位置からを起点とし、下方に移動するよう制御する。
【００１２】
第１の特徴において、前記表示部は、タッチパネルを有する表示器であって、前記制御部は、前記オブジェクトへの接触指示に基づいて前記オブジェクトの表示位置の移動制御を行う。
【００１３】
第１の特徴において、前記制御部は、ある所定期間に前記オブジェクトを表示すると前記目標ラインを超えてしまうと判断すると、その所定期間の前又は後の所定期間に、前記オブジェクトを自動的に移動させる。
【００１４】
第１の特徴において、制御部は、スケジューリングを行う所定期間と、その前後の所定期間とを表示部に表示する。
【００１５】
第２の特徴に係る表示方法は、所定期間において機器の使用のスケジューリングを行うための画像を表示する。表示方法は、時間を表す第１軸及び電力を表す第２軸によって表現される座標空間において、前記所定期間内における使用電力の目標値の推移を表す目標ラインと、前記機器の使用電力量を表すオブジェクトとを表示するステップと、前記オブジェクトを前記座標空間上に並べることにより、前記機器の使用スケジューリングを行うステップとを備え、前記ステップにおいて、前記機器の使用開始時点から前記機器の使用終了時点までの時間長を、前記第１軸と平行に延びる下辺で表し、前記機器の使用開始時点から前記機器の使用終了時点までの間における前記機器の使用電力の推移を上側ラインで表し、前記下辺と前記上側ラインとによって囲まれる領域で前記オブジェクトを表示する。
【発明の効果】
【００１６】
本発明によれば、ユーザの想定していない機器の動作停止を回避することを、ユーザの簡易な操作により可能とする表示装置及び表示方法を提供することができる。
【図面の簡単な説明】
【００１７】
【図１】図１は、第１実施形態に係るエネルギー管理システム１００を示す図である。
【図２】図２は、第１実施形態に係る需要家１０を示す図である。
【図３】図３は、第１実施形態に係るＨＥＭＳ２００を示す図である。
【図４】図４は、第１実施形態に係る表示態様を示す図である。
【図５】図５は、第１実施形態に係る表示態様を示す図である。
【図６】図６は、第１実施形態に係る表示態様を示す図である。
【図７】図７は、第１実施形態に係る表示方法を示す図である。
【発明を実施するための形態】
【００１８】
以下において、本発明の実施形態に係る表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（エネルギー管理システム）
以下において、第１実施形態に係るエネルギー管理システムについて説明する。図１は、第１実施形態に係るエネルギー管理システム１００を示す図である。
【００２１】
図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２２】
需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００２３】
需要家１０は、例えば、一戸建ての住宅であってもよく、マンションなどの集合住宅であってもよく、ビルなどの商用施設であってもよく、工場であってもよい。
【００２４】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００２５】
ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００２６】
第１実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００２７】
変電所３０は、複数の需要家１０に対して、配電線３１を介して電力を供給する。具体的には、変電所３０は、発電所５０から供給を受ける電圧を降圧する。
【００２８】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００２９】
スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３０】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００３１】
ネットワーク６０は、信号線を介して各装置に接続される。ネットワーク６０は、例えば、インターネット、広域回線網、狭域回線網、携帯電話網などである。
【００３２】
（需要家）
以下において、第１実施形態に係る需要家について説明する。図２は、第１実施形態に係る需要家１０の詳細を示す図である。
【００３３】
図２に示すように、需要家１０は、分電盤１１０と、負荷１２０と、ＰＶユニット１３０と、蓄電池ユニット１４０と、燃料電池ユニット１５０と、貯湯ユニット１６０と、ＥＭＳ２００とを有する。
【００３４】
分電盤１１０は、配電線３１（系統）に接続されている。分電盤１１０は、電力線を介して、負荷１２０、ＰＶユニット１３０、蓄電池ユニット１４０及び燃料電池ユニット１５０に接続されている。
【００３５】
負荷１２０は、電力線を介して供給を受ける電力を消費する機器である。例えば、負荷１２０は、冷蔵庫、照明、エアコン、テレビなどの機器を含む。なお、負荷１２０は、単数の機器であってもよく、複数の機器を含んでもよい。
【００３６】
ＰＶユニット１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００３７】
第１実施形態において、ＰＶユニット１３０は、ＰＶ１３１に照射される日射量を測定する日射計を有していてもよい。
【００３８】
ＰＶユニット１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶユニット１３０は、ＰＶ１３１の動作点（動作点電圧値及び電力値によって定まる点、又は、動作点電圧値と電流値とによって定まる点）を最適化する。
【００３９】
蓄電池ユニット１４０は、蓄電池１４１と、ＰＣＳ１４２とを有する。蓄電池１４１は、電力を蓄積する装置である。ＰＣＳ１４２は、配電線３１（系統）から供給されるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００４０】
燃料電池ユニット１５０は、燃料電池１５１と、ＰＣＳ１５２とを有する。燃料電池１５１は、発電装置の一例であり、燃料ガスを利用して電力を出力する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００４１】
燃料電池ユニット１５０は、負荷追従制御によって動作する。詳細には、燃料電池ユニット１５０は、燃料電池１５１から出力される電力が負荷追従制御の目標電力となるように燃料電池１５１を制御する。
【００４２】
貯湯ユニット１６０は、電力を熱に変換して、熱を蓄積したり、燃料電池ユニット１５０等のコージェネレーション機器が発生する熱を湯として蓄えたりする蓄熱装置の一例である。具体的には、貯湯ユニット１６０は、貯湯槽を有しており、燃料電池１５１の運転（発電）によって生じる排熱によって、貯湯槽から供給される水を温める。詳細には、貯湯ユニット１６０は、貯湯槽から供給される水を温めて、温められた湯を貯湯槽に還流する。
【００４３】
ＥＭＳ２００は、ＰＶユニット１３０、蓄電池ユニット１４０、燃料電池ユニット１５０及び貯湯ユニット１６０を制御する。具体的には、ＥＭＳ２００は、ＰＶユニット１３０、蓄電池ユニット１４０、燃料電池ユニット１５０及び貯湯ユニット１６０に信号線を介して接続されており、ＰＶユニット１３０、蓄電池ユニット１４０、燃料電池ユニット１５０及び貯湯ユニット１６０を制御する。また、ＥＭＳ２００は、負荷１２０の動作モードを制御することによって、負荷１２０の消費電力を制御する。
【００４４】
また、ＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００４５】
或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力の予め定められた標準的なモデル値であってもよい。
【００４６】
或いは、各種サーバは、例えば、ＰＶ１３１の発電量を予測するための情報（以下、ＰＶ発電量予測情報）を格納する。ＰＶ発電予測情報は、ＰＶ１３１に照射される日射量の予測値であってもよい。或いは、ＰＶ発電予測情報は、天気予報、季節、日照時間などであってもよい。
【００４７】
詳細には、図３に示すように、ＥＭＳ２００は、受信部２１０と、送信部２２０と、表示部２３０と、制御部２４０とを有する。第１実施形態において、ＥＭＳ２００は、表示装置の一例である。
【００４８】
受信部２１０は、信号線を介して接続された装置から各種信号を受信する。例えば、受信部２１０は、ＰＶ１３１の発電量を示す情報をＰＶユニット１３０から受信する。受信部２１０は、蓄電池１４１の蓄電量を示す情報を蓄電池ユニット１４０から受信する。受信部２１０は、燃料電池１５１の発電量を示す情報を燃料電池ユニット１５０から受信する。受信部２１０は、貯湯ユニット１６０の貯湯量を示す情報を貯湯ユニット１６０から受信する。
【００４９】
第１実施形態において、受信部２１０は、エネルギー料金情報、消費エネルギー予測情報及びＰＶ発電量予測情報を、ネットワーク６０を介して各種サーバから受信してもよい。但し、エネルギー料金情報、消費エネルギー予測情報及びＰＶ発電量予測情報は、予めＥＭＳ２００に記憶されていてもよい。
【００５０】
送信部２２０は、信号線を介して接続された装置に各種信号を送信する。例えば、送信部２２０は、ＰＶユニット１３０、蓄電池ユニット１４０、燃料電池ユニット１５０及び貯湯ユニット１６０を制御するための信号を各装置に送信する。送信部２２０は、負荷１２０を制御するための制御信号を負荷１２０に送信する。
【００５１】
表示部２３０は、互いに直交する第１軸及び第２軸によって表現される座標空間、所定期間に含まれる各時点における使用電力の目標値の推移を表す目標ライン、および前記機器の使用電力量を表すオブジェクトを制御部２４０の制御により表示する。ここで、表示部２３０にて表示する第１軸は、時間軸であり、機器の使用をスケジューリングする時間帯を表示する。また、第１軸としてはさらに、基本料金に影響を与える所定期間（例えば、３０分）についても表示する。そして、表示部２３０にて表示する第２軸は、使用電力を表示する。また、表示部２３０はタッチパネル式の操作部を有し、ユーザによりタッチされた座標に関する信号を制御部２４０に送り、その信号に基づいた処理・演算が制御部２４０にて行われ、その後、制御部４０からの指示に基づいて表示部２３０の表示内容を更新する。
【００５２】
制御部２４０は、負荷１２０、ＰＶユニット１３０、蓄電池ユニット１４０、燃料電池ユニット１５０及び貯湯ユニット１６０を制御する。また、表示部２３０に対するユーザの操作に基づいた演算処理、および表示内容の更新も指示する。
【００５３】
さらに第１実施形態において、制御部２４０は、表示部２３０が表示するスケジューリング画面に基づいて、負荷１２０の動作を制御する。具体的には、制御部２４０は、座標空間内におけるオブジェクトの表示位置を認識し、オブジェクトの表示位置に基づいて負荷１２０の動作開始時刻及び終了時刻を抽出してスケジュールとして保存し、スケジュールに基づいて負荷１２０の動作を制御する。
【００５４】
ここで、基本料金に影響を与える所定期間について説明する。総電力料金は、基本料金及び電力量料金という２つの体系によって、以下のプロセスによって算出される。
【００５５】
まず、基本料金は、過去の所定期間（例えば、３０分）における電力量に基づいて定められる。すなわち、分電盤１１０に接続された最大需要電力計（デマンド計）により、３０分間の電力量（使用電力量）を計測する。そして当該３０分間における平均使用電力（ｋＷ）を算出する。この平均使用電力が３０分デマンド値と呼ばれる。そして、1ヶ月の中で最大の３０分デマンド値を、その月の最大需要電力（最大デマンド値）と呼ぶ。そして、その月の最大デマンド値、あるいは過去１年の間における最大デマンド値の中で最も大きい値が基本料金の計算に使用されることとなる。つまり、１ヶ月あるいは１年間のうち、一度でも大きなデマンド値が生じると、翌月あるいは翌１年間にわたり、そのデマンド値を用いた基本料金が適用されることとなる。このようにして基本料金は定められる。
【００５６】
一方で、電力量料金は、計算対象期間（一般的には１ヶ月あるいは１年）における電力使用量に基づいて定められる。すなわち、電力料金を算出する期間の電力量料金は、従量額である。このような電力料金の定め方においては、所定期間における使用電力量が目標値を超過しないように、機器を使用することが望ましい。
【００５７】
第１実施形態において、オブジェクトは、第１軸と平行に延び、機器の使用開始時点から機器の使用終了時点までの時間長を示す下辺と、機器の使用開始時点から機器の使用終了時点までの間における機器の使用電力の推移を表すラインと、によって囲まれる領域を有する。すなわち、オブジェクトの面積が、機器の使用電力量を表す。また、目標ラインと第１軸とによって囲まれる面積が、所定期間における使用電力量の目標値を表す。従って、機器の使用をスケジューリングするにあたり、目標ラインと第１軸とによって囲まれる領域内にオブジェクトを表示することができれば、機器の使用電力量が所定期間における使用電力量の目標値を超過しないと判断することができる。
【００５８】
第１実施形態において、表示部２３０は、所定期間において負の傾きを持つように目標ラインを表示してもよい。
【００５９】
第１実施形態において、オブジェクトは、第１軸と平行に延びる上辺を有してもよい。また、表示部２３０は、オブジェクトとして、第１オブジェクト及び第２オブジェクトを表示してもよい。このようなケースでは、表示部２３０は、第１オブジェクトの上辺に第２オブジェクトの下辺が接しており、なおかつ、第２オブジェクトが側方に突出する状態で表示部２３０に表示されている状態において、第２オブジェクトの下方において、いずれのオブジェクトも配されていない空白領域が存在する場合において、空白領域を埋めるように第２オブジェクトを変形して表示してもよい。
【００６０】
（表示態様）
以下において、第１実施形態に係る表示態様について説明する。図４〜図６は、第１実施形態に係る表示態様を示す図である。
【００６１】
図４には、時間を表す第１軸及び電力を表す第２軸によって表現される座標と、座標によって定められる座標空間において、所定期間に含まれる各時点における使用電力の目標値の推移を表す目標ラインと、機器の使用電力量を表すオブジェクトとが表示される。
【００６２】
第１軸には、スケジューリングを行う時間帯が表示される。図４には、１２時から単位時間ごとに（例えば、１０分刻みで）目盛りが表示される。また、座標空間には、所定期間（例えば、３０分）ごとに、所定時間を特定するラインが表示される。
【００６３】
所定期間に含まれる各時点における使用電力の目標値の推移を表す目標ラインは、所定期間に含まれる各時点における使用電力（瞬時値）の目標値を結んだラインであり、目標ラインと第１軸とによって囲まれる領域の面積が、所定期間における使用電力量（積算値）の目標値を表す。目標ラインは、所定期間ごとに異なるラインとして表示される。第１実施形態において、所定期間が終了すると、使用電力量はリセットされ、使用電力量の目標値もリセットされる。次の所定期間が開始すると、終了した所定期間とは異なる目標ラインが表示される。
【００６４】
図４において、目標ラインは、負の傾きを持つように表示されるが、これに限定されない。目標ラインは、所定期間の開始時点から終了時点まで一定値を表すラインとして、すなわち、第１軸と平行に延びるラインとして表示されてもよい。また、目標ラインは、所定期間の開始時点から終了時点までの間に傾斜が変化するラインとして表示されてもよい。
【００６５】
オブジェクトの下辺は、第１軸と平行に延び、機器の使用開始時点から機器の使用終了時点までの時間長を示す。オブジェクトの上辺は、機器の使用開始時点から機器の使用終了時点までの間における機器の使用電力の推移を表すラインである。オブジェクトの上辺と下辺とによって囲まれる領域が、機器の使用時間における使用電力量を表す。オブジェクトの下辺は、機器の使用電力の過去の実績値を自動入力することによって表示してもよい。また、図４において、オブジェクトは、下辺の全長（すなわち、機器の使用時間長）にわたって高さ（すなわち、機器の使用時間の各時点における使用電力の瞬時値）が等しい長方形として表示されるが、これに限定されない。例えば、機器の使用時間の経過とともに使用電力が変化する場合、オブジェクトの上辺は、階段状のラインとして表示されてもよい。
【００６６】
図４において、制御部２４０は、スケジューリング予定機器のオブジェクトＯ１〜ＯＮを、表示部２３０に多数表示する。以下の説明において、オブジェクトＯ１〜ＯＮの表示は、制御部２４０の指示によって表示部２３０上で行われる。オブジェクトＯ１〜ＯＮの各々は、第１軸と平行に延びる上辺を有する。座標空間内に表示される前のオブジェクトは、図４右肩のスケジューリング予定機器のボックス内に表示される。例えば、スケジューリング予定機器のボックス内に表示されたオブジェクトの中から、下辺の長さが大きいオブジェクトＯ１（すなわち、長時間連続使用する機器を表すオブジェクト）に対してユーザがタッチすることで選択され、座標空間内にタッチ状態を維持したまま、やや下方に移動（スイープ）されると、それに連動してオブジェクトＯ１の画像もタッチされている箇所まで表示位置が移動される。ちなみにこのとき、制御部２４０では、タッチ位置の変動量から、オブジェクトＯ１の位置する座標の変動量について把握しておくことになる。そして、ある程度座標空間内に入った状態でタッチが解除されると、オブジェクトＯ１の表示位置は、機器の使用を予定する所定期間において、下辺が第１軸と接するところ、あるいは既に表示される他のオブジェクトが有ればその上辺と接するところまで自動的に下方に移動される。ここで、表示されたオブジェクトＯ１が目標ラインを超えていなければ、オブジェクトＯ１が表す機器の使用電力量は、所定期間における使用電力量の目標値以下に収まっていると判断することができる。
【００６７】
次いで、図５に示すように、ボックス内に表示される他のオブジェクトについても同様にスイープ操作によって座標空間上にドロップされると、それぞれが座標空間内に表示され、その下辺が第１軸あるいは既表示のオブジェクトの上辺と接するところまで自動的に下方に移動されることになる。スケジューリング予定機器のボックス内に表示されたオブジェクトの中で、例えば、面積の大きいオブジェクトＯ２（すなわち、使用電力量の大きい機器を表すオブジェクト）が、座標空間において、機器の使用を予定する所定期間に表示される。このとき、オブジェクトＯ２は、下辺が第１軸又はオブジェクトＯ１の上辺と接するように表示される。ここで、表示されたオブジェクトＯ１，Ｏ２がいずれも目標ラインを超えていなければ、オブジェクトＯ１，Ｏ２が表す機器の使用電力量が、所定期間における使用電力量の目標値以下に収まっていると判断することができる。このような操作が繰り返されて、スケジューリング予定機器のオブジェクトＯ１〜ＯＮが、座標空間に表示される。
【００６８】
ここで、図５に示すように、オブジェクトＯ２が既に座標空間内に表示されている状態で、さらにオブジェクトＯ３が座標空間内にドロップされた場合、まずは通常のルーチンに則って、オブジェクトＯ２の上辺にオブジェクトＯ３の下辺が接するところまでオブジェクトＯ３が下方に移動されることとなる。このような状態において、機器の使用のスケジューリングが行われていない空白領域が存在する場合、オブジェクトＯ３は、その空白領域を埋めるように変形して表示されるよう制御部２４０が表示部２３０を制御してもよい。つまり、オブジェクトＯ２上に表示されたオブジェクトＯ３が、オブジェクトＯ２の上辺よりも側方に突出し、その下方かつオブジェクトＯ２に隣接する領域が空白の場合には、オブジェクトＯ２の側方に突出した部分が分断され、第１軸にその下辺が当接するまで下方に移動されるよう制御する。このような制御により、図５では、オブジェクトＯ２の分断された部分が、オブジェクトＯ１の上辺と接するように表示される。このように、オブジェクトＯ１〜ＯＮは、第１軸との間に空白領域が存在しないように表示される。
【００６９】
次に、図６に示すように、相対的に高さの大きいオブジェクトＯ４（すなわち、使用電力の瞬時値が相対的に大きい機器を表すオブジェクト）についての表示制御を説明する。相対的に高さの大きいオブジェクトＯ４の場合は、以下のように表示することができる。例えば、ある所定期間にオブジェクトＯ４を表示すると目標ラインを超えてしまうと制御部２４０が判断する場合には、その所定期間の前又は後の所定期間に、オブジェクトＯ４を自動的に移動させて表示してもよい。このように、スケジューリングしたい時間帯以外に前倒し、又は後回しでスケジューリングを自動的に行うことができる。このため制御部２４０は、スケジューリングする対象となる時間帯だけではなく、その前後の所定期間も表示される。
【００７０】
また、一度スケジュールとして各オブジェクトを配列した後であっても、再度オブジェクトを選択して、移動させることを可能としてもよい。すなわち制御部２４０は、座標空間内に配列した状態のオブジェクトの一つに対してタッチし、スイープして表示位置を移動させ、移動させた先でタッチを解除すると、解除した位置を起点として、下方へ移動させてオブジェクトを配置する。このとき、制御部２４０は、移動させたオブジェクトの上辺の上に配置されていた他のオブジェクトがあれば、これについても下方へ移動するよう制御する。このように、配列後にオブジェクトを移動させた場合にも、制御部２４０は原則的に下方詰め制御を行うよう表示部２３０を制御する。
【００７１】
以上説明したように、第１実施形態に係る表示装置は、所定期間及び目標ラインが表示された座標空間に、機器の使用電力量を表すオブジェクトＯ１〜ＯＮを表示する。これにより、所定期間における使用電力量の目標値に対して、スケジューリングされた機器の使用電力量が一目瞭然なものとなる。そのため、所定期間における使用電力量の目標値を超過しないように、機器の使用を容易にスケジューリングすることができる。
【００７２】
そして制御部２４０は、最終的なスケジューリング画面に基づいて、負荷１２０の動作を制御する。具体的には、制御部２４０は、座標空間におけるオブジェクトＯ１〜ＯＮの表示位置を認識し、オブジェクトＯ１〜ＯＮの表示位置に基づいて負荷１２０の動作開始時刻及び終了時刻を抽出してスケジュールとして保存し、スケジュールに基づいて負荷１２０の動作を制御する。
【００７３】
（表示方法）
以下において、第１実施形態に係る表示方法について説明する。図７は、第１実施形態に係る表示方法を示すフロー図である。ステップ１０において、ＥＭＳ２００は、時間を表す第１軸及び電力を表す第２軸によって表現される座標を表示部２３０に表示する。
【００７４】
ステップ２０において、ＥＭＳ２００は、ステップ１０において表示された座標によって定められる座標空間において、所定期間を特定するラインを表示部２３０に表示する。
【００７５】
ステップ３０において、ＥＭＳ２００は、ステップ１０において表示された座標によって定められる座標空間において、所定期間に含まれる各時点における使用電力の目標値の推移を表す目標ラインを表示する。
【００７６】
ステップ４０において、ＥＭＳ２００は、機器の使用電力量を表すオブジェクトを表示するために必要な情報を入力する。具体的には、ＥＭＳ２００は、機器の使用開始時点から前記機器の使用終了時点までの時間長と、機器の使用開始時点から前記機器の使用終了時点までの各時点における機器の使用電力とを入力する。
【００７７】
ステップ５０において、ＥＭＳ２００は、スケジューリングを行う全ての機器について、情報の入力が完了したか否かを判定する。ＥＭＳ２００は、判定結果が“ＹＥＳ”である場合に、ステップ６０の処理に移る。ＥＭＳ２００は、判定結果が“ＮＯ”である場合に、ステップ４０の処理に移る。
【００７８】
ステップ６０において、ＥＭＳ２００は、ステップ１０において表示された座標によって定められる座標空間において、オブジェクトＯ１〜ＯＮを表示する。オブジェクトＯ１〜ＯＮの各々は、機器の使用開始時点から前記機器の使用終了時点までの時間長を、第１軸と平行に延びる下辺で表し、機器の使用開始時点から機器の使用終了時点までの間における機器の使用電力の推移を、上側ラインで表す。ＥＭＳ２００は、下辺と上側ラインとによって囲まれる領域で、オブジェクトＯ１〜ＯＮの各々を表示する。ユーザは、表示されたオブジェクトＯ１〜ＯＮを、タッチパネルの操作によって座標空間上で並べ替え、表示部２３０上にスケジューリング画面を表示させる。
【００７９】
ステップ７０において、制御部２４０は、オブジェクトＯ１〜ＯＮの各々が表示部２３０上に表示されたスケジューリング画面に基づいて、各負荷１２０の動作開始終了時間を抽出し、スケジュール情報として保持する。そしてステップ８０において、制御部２４０は、スケジュール情報に沿って各負荷の運転を制御する。
【００８０】
以上説明したように、第１実施形態では、ＥＭＳ２００は、所定期間及び目標ラインが表示された座標空間に、機器の使用電力量を表すオブジェクトＯ１〜ＯＮを表示する。従って、所定期間における使用電力量の目標値に対して、スケジューリングされた機器の使用電力量が一目瞭然なものとなる。
【００８１】
これによって、受電者は、所定期間における使用電力量の目標値を超過しないように、機器の使用をスケジューリングすることができ、目標値を超過しないように機器を運転することができるようになる。
【００８２】
ところで、所定期間における使用電力量の目標値を示す例を上述したが、さらに、上限電力なる値を座標空間に描画してもよい。例えば日本においては、高圧受電者の場合、電力会社とは契約により最大需要電力（最大デマンド値）の上限が決められている。そして、上限電力を超えた場合には、通常より割増の違約金を支払うことが必要となっている。そのため、座標空間上に契約上限値を特定する直線を示しておけば、これを超えないように電力使用を心がけやすくなり、違約金の発生を抑制することにつながる。
【００８３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８４】
実施形態において、表示装置がＥＭＳ２００に設けられるケースを例示した。しかしながら、実施形態は、これに限定されるものではない。表示装置は、需要家１０に設けられる機器を制御する機能を有していない装置に設けられていてもよい。
【００８５】
ＥＭＳ２００は、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよい。
【符号の説明】
【００８６】
１０…需要家、２０…ＣＥＭＳ、３０…変電所、３１…配電線、４０…スマートサーバ、５０…発電所、５１…送電線、６０…ネットワーク、１００…エネルギー管理システム、１１０…分電盤、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５２…ＰＣＳ、１６０…貯湯ユニット、２００…ＥＭＳ、２１０…受信部、２２０…送信部、２３０…表示部、２４０…制御部
【図１】
2014011825.tif 000003
【図２】
2014011825.tif 000004
【図３】
2014011825.tif 000005
【図４】
2014011825.tif 000006
【図５】
2014011825.tif 000007
【図６】
2014011825.tif 000008
【図７】
2014011825.tif 000009